【手続補正書】
【提出日】平成29年2月1日(2017.2.1)
【手続補正１】
【補正対象書類名】特許請求の範囲
【補正対象項目名】請求項３
【補正方法】変更
【補正の内容】
【請求項３】
変動する入力直流電圧と出力側負荷の間に構成した閉回路の正極側に第１のスイッチＡとインダクタと第４のスイッチＤ及び第２ダイオードＤ２の並列回路とを直列接続し、該閉回路の正極側回路と負極側回路を第１又は第２コンデンサＣ１，Ｃ２を介して接続する２つの接続回路と、前記第１スイッチＡとインダクタとの間から負極側回路に第２スイッチＢ及び第１ダイオードＤ１の並列回路を介して接続する接続回路と、前記インダクタと第４スイッチＤとの間から負極側回路に第３スイッチＣを介して接続する接続回路と、前記入力直流電圧の電流を検出する電流センサに接続されて前記第１から第４スイッチＡからＤのオンオフを制御する制御回路とを備え、該制御回路が入力電圧を監視して第１から第４スイッチＡからＤのオンオフを制御することによって、前記入力直流電圧を所定の範囲に昇降圧して出力する昇降圧コンバータ装置であって、
前記制御回路が、前記電流センサにより検出した検出電流を負端子に入力し、正端子に基準信号となる目標出力電圧を入力し、検出電流と目標出力電圧との差値を増幅して誤差信号として出力する増幅器と、第１の三角波形信号を出力する第１発振回路と、前記増幅器から出力された誤差信号を正端子に入力し、前記第１発振回路からの第１三角波形信号を負端子に入力し、該誤差信号と第１三角波形信号とを比較してパルス信号を出力する第１比較器と、前記第１三角波形と１８０度位相が異なる第２三角波形信号を出力する第２発振回路と、前記増幅器から出力された誤差信号を正端子に入力し、前記第２発振回路からの第２三角波形信号を負端子に入力し、該誤差信号と第２三角波形信号とを比較してパルス信号を出力する第２比較器と、前記第１比較器及び第２比較器から出力されるパルス信号を入力し、両信号の論理和を第１パルス変調信号として出力する論理和素子と、前記論理和素子から出力された第１パルス変調信号を反転した第２スイッチ信号を出力する第１否定素子と、前記第１比較器及び第２比較器から出力される差分信号を入力し、両差分信号の論理積を第３スイッチ信号として出力する論理積素子と、前記論理積素子から出力された第３スイッチ信号を反転した第４スイッチ信号を出力する否定素子とを備え、前記第１パルス変調信号を第１スイッチをオンオフする制御信号とし、前記第２スイッチ信号を第２スイッチをオンオフする制御信号とし、前記第２パルス変調信号を第３スイッチを制御する制御信号とし、前記第４スイッチ信号を第４スイッチをオンオフする制御信号として設定し、降圧動作時においては、第１スイッチ及び第２スイッチを交互にオンオフ並びに第３スイッチをオフ且つ第４スイッチをオンし、昇圧動作時においては、第１スイッチをオン且つ第２スイッチをオフ並びに第３スイッチ及び第４スイッチを交互にオンオフすることを特徴とする昇降圧コンバータ装置。
【手続補正２】
【補正対象書類名】明細書
【補正対象項目名】００１３
【補正方法】変更
【補正の内容】
【００１３】
請求項３に記載の発明は、変動する入力直流電圧と出力側負荷の間に構成した閉回路の正極側に第１のスイッチＡとインダクタと第４のスイッチＤ及び第２ダイオードＤ２の並列回路とを直列接続し、該閉回路の正極側回路と負極側回路を第１又は第２コンデンサＣ１，Ｃ２を介して接続する２つの接続回路と、前記第１スイッチＡとインダクタとの間から負極側回路に第２スイッチＢ及び第１ダイオードＤ１の並列回路を介して接続する接続回路と、前記インダクタと第４スイッチＤとの間から負極側回路に第３スイッチＣを介して接続する接続回路と、前記入力直流電圧の電流を検出する電流センサに接続されて前記第１から第４スイッチＡからＤのオンオフ制御する制御回路とを備え、該制御回路が入力電圧を監視して第１から第４スイッチＡからＤのオンオフを制御することによって、前記入力直流電圧を所定の範囲に昇降圧して出力する昇降圧コンバータ装置であって、前記制御回路が、前記電流センサにより検出した検出電流を負端子に入力し、正端子に基準信号となる目標出力電圧を入力し、検出電流と目標出力電圧との差値を増幅して誤差信号として出力する増幅器と、第１の三角波形信号を出力する第１発振回路と、前記増幅器から出力された誤差信号を正端子に入力し、前記第１発振回路からの第１三角波形信号を負端子に入力し、該誤差信号と第１三角波形信号とを比較してパルス信号を出力する第１比較器と、前記第１三角波形と１８０度位相が異なる第２三角波形信号を出力する第２発振回路と、前記増幅器から出力された誤差信号を正端子に入力し、前記第２発振回路からの第２三角波形信号を負端子に入力し、該誤差信号と第２三角波形信号とを比較してパルス信号を出力する第２比較器と、前記第１比較器及び第２比較器から出力されるパルス信号を入力し、両信号の論理和を第１パルス変調信号として出力する論理和素子と、前記論理和素子から出力された第１パルス変調信号を反転した第２スイッチ信号を出力する第１否定素子と、前記第１比較器及び第２比較器から出力される差分信号を入力し、両差分信号の論理積を第３スイッチ信号として出力する論理積素子と、前記論理積素子から出力された第３スイッチ信号を反転した第４スイッチ信号を出力する否定素子とを備え、前記第１パルス変調信号を第１スイッチをオンオフする制御信号とし、前記第２スイッチ信号を第２スイッチをオンオフする制御信号とし、前記第２パルス変調信号を第３スイッチを制御する制御信号とし、前記第４スイッチ信号を第４スイッチをオンオフする制御信号として設定し、降圧動作時においては、第１スイッチ及び第２スイッチを交互にオンオフ並びに第３スイッチをオフ且つ第４スイッチをオンし、昇圧動作時においては、第１スイッチをオン且つ第２スイッチをオフ並びに第３スイッチ及び第４スイッチを交互にオンオフすることを特徴とする。
【手続補正３】
【補正対象書類名】明細書
【補正対象項目名】００２３
【補正方法】変更
【補正の内容】
【００２３】
前記制御回路８２は、前記電流センサＳにより検出した検出電流を負端子に入力し、正端子に基準信号となる目標入力電流Ｖｒｅｆを入力し、検出電流と目標入力電流Ｖｒｅｆとの差値を増幅して誤差信号（Ｄｕｔｙ指令値）として出力する差分増幅器ＡＭＰ１と、第１の三角波形信号を出力する発振回路ＳＴ１と、前記差分増幅器ＡＭＰ１から出力された誤差信号（Ｄｕｔｙ指令値）を正端子に入力し、前記発振回路ＳＴ１からの第１三角波形信号（のこぎり波）を負端子に入力し、該誤差信号（Ｄｕｔｙ指令値）と第１三角波形信号とを比較して誤差信号と基準信号の差がゼロになるようにデューティ比を規定したパルス信号（１ｓｔ  Ｐｈａｓｅ  ＰＷＭ）を出力する比較器ＣＭＰ１と、前記第１三角波形信号と１８０度位相が異なる第２三角波形信号を出力する発振回路ＳＴ２と、前記差分増幅器ＡＭＰ１から出力された誤差信号（Ｄｕｔｙ指令値）を正端子に入力し、前記発振回路ＳＴ２からの第２三角波形信号を負端子に入力し、該誤差信号（Ｄｕｔｙ指令値）と第２三角波形信号とを比較して誤差信号と基準信号の差がゼロになるようにデューティ比を規定したパルス信号（２ｎｄ  Ｐｈａｓｅ  ＰＷＭ）を出力する比較器ＣＭＰ２と、前記比較器ＣＭＰ１及び比較器ＣＭＰ２から出力されるパルス信号を入力し、両パルス信号の論理和をスイッチ信号Ａである降圧用パルス幅変調信号（Ｂｕｃｋ  ＰＷＭ）として出力する論理和素子ＯＲと、前記論理和素子ＯＲから出力されたスイッチ信号Ａを反転したスイッチ信号Ｂを出力する否定素子ＮＯＴ１と、前記比較器ＣＭＰ１及び比較器ＣＭＰ２から出力される差分信号を入力し、両差分信号の論理積をスイッチ信号Ｃである昇圧用パルス幅変調信号（Ｂｏｏｓｔ  ＰＷＭ）として出力する論理積素子ＡＮＤと、前記論理積素子ＡＮＤから出力されたスイッチ信号Ｃを反転したスイッチ信号Ｄを出力する否定素子ＮＯＴ２とを備え、前記第１パルス変調信号をスイッチＡをオンオフする制御信号、前記スイッチ信号ＢをスイッチＢをオンオフする制御信号、前記第２パルス変調信号をスイッチＣを制御する制御信号、前記スイッチ信号ＤをスイッチＤをオンオフする制御信号として使用するように構成されている。